(57)【要約】      （修正有）【課題】前面のコンクリートブロックと背面側のドレーン材とが一体に連結されていて施工が容易である擁壁を提供する。【解決手段】前面にコンクリートブロック１０を複数段積み上げて形成される擁壁１００であって、コンクリートブロック１０は、擁壁１００の前面部分となる前面部材と、前記前面部材から後方に突き出して前記前面部材を支持する後方突出部材とを備えており、コンクリートブロック１０の後方には、金網からなり粗粒のドレーン材が充填された石詰籠２０が配置されており、石詰籠２０の前面とコンクリートブロック１０との間の空間に現場打ちコンクリート３０が充填されており、現場打ちコンクリート３０によってコンクリートブロック１０と石詰籠２０とが固定されている。【選択図】図１
2019070299.tif 000002
【特許請求の範囲】
【請求項１】
前面にコンクリートブロックを複数段積み上げて形成される擁壁であって、
前記コンクリートブロックは、擁壁の前面部分となる前面部材と、前記前面部材から後方に突き出して前記前面部材を支持する後方突出部材とを備えており、
前記コンクリートブロックの後方には、金網からなり粗粒のドレーン材が充填された石詰籠が配置されており、
前記石詰籠の前面と前記コンクリートブロックとの間の空間に現場打ちコンクリートが充填されており、
前記現場打ちコンクリートによって前記コンクリートブロックと前記石詰籠とが固定されている、擁壁。
【請求項２】
前記現場打ちコンクリートは、前記コンクリートブロックの前記前面部材の後面と、前記後方突出部材との間の空間にも充填されている、請求項１に記載の擁壁。
【請求項３】
前記石詰籠は、前記石詰籠の前記前面から前記コンクリートブロックに向かって伸びる固定補助部材を備えている、請求項１又は２に記載の擁壁。
【請求項４】
前記固定補助部材は、金網、鉄筋及び樹脂製網のうち、少なくとも１種である、請求項３に記載の擁壁。
【請求項５】
前記固定補助部材は、前記石詰籠の底面から連続して伸びている金網である、請求項４に記載の擁壁。
【請求項６】
前面にコンクリートブロックを複数段積み上げて形成される擁壁の形成方法であって、
前記コンクリートブロックは、擁壁の前面部分となる前面部材と、前記前面部材から後方に突き出して前記前面部材を支持する後方突出部材とを備えており、
前記コンクリートブロックを設置する工程Ａと、
前記コンクリートブロックの後方であって前記コンクリートブロックから離間した位置に、金網からなる石詰籠を形成する工程Ｂと、
前記石詰籠に粗粒のドレーン材を充填する工程と、
前記石詰籠の前面と前記コンクリートブロックとの間の空間に現場打ちコンクリートを充填する工程Ｃと
を含み、前記工程Ａ、前記工程Ｂおよび前記工程Ｃを繰り返すことにより前記コンクリートブロックを複数段積み上げる、擁壁の形成方法。
【発明の詳細な説明】
【技術分野】
【０００１】
本発明は、擁壁及びその形成方法に関するものである。
【背景技術】
【０００２】
擁壁は崖や盛り土の側面が崩れ落ちるのを防ぐために築く壁であって、現在ではコンクリートにより築かれるものが主であり、壁面となる前面部分をコンクリートブロックにより形成するものが多い。
【０００３】
擁壁を形成する際には、排水性を確保するためにコンクリートブロックの背面側に砕石等の粗粒のドレーン材を詰め込んでいるが、コンクリートブロックを用いた従来の擁壁の形成方法ではコンクリートブロックと粗粒のドレーン材とは別個のものとして互いに独立に取り扱われていた。
【０００４】
このような従来の方法では、粗粒のドレーン材からの土圧力がコンクリートブロックにかかるため、コンクリートブロックが倒れないようにその重量を大きくする必要があった。この問題を解決するために、特許文献１では、少なくともその一部に現場打コンクリートを充填することによって、上下、左右に一体化される複数のコンクリートブロックと、前記コンクリートブロックの各々の背面を囲うように、前記コンクリートブロックの各々の少なく共一部に取付けられた複数の枠材と前記背面と前記枠材とで構成される空間の各々に充填された裏込め材とを備えた、コンクリート積みブロック擁壁が開示されている。
【先行技術文献】
【特許文献】
【０００５】
【特許文献１】特開２００５−９８０９３号公報
【発明の概要】
【発明が解決しようとする課題】
【０００６】
しかしながら、特許文献１に開示されたコンクリート積みブロック擁壁は施工に難があるという問題があった。
【０００７】
本発明は、かかる点に鑑みてなされたものであり、その目的とするところは、前面のコンクリートブロックと背面側のドレーン材とが一体に連結されていて施工が容易である擁壁を提供することにある。
【課題を解決するための手段】
【０００８】
本発明の擁壁は、前面にコンクリートブロックを複数段積み上げて形成される擁壁であって、前記コンクリートブロックは、擁壁の前面部分となる前面部材と、前記前面部材から後方に突き出して前記前面部材を支持する後方突出部材とを備えており、前記コンクリートブロックの後方には、金網からなり粗粒のドレーン材が充填された石詰籠が配置されており、前記石詰籠の前面と前記コンクリートブロックとの間の空間に現場打ちコンクリートが充填されており、前記現場打ちコンクリートによって前記コンクリートブロックと前記石詰籠とが固定されている構成を有している。粗粒のドレーン材とは、土砂よりも粒径が大きく透水性がよいものであり、例えば礫、石、岩石の破砕物（砕石）、コンクリートの破砕物などを挙げることができる。現場打ちコンクリートとは、擁壁の施工現場において硬化前のコンクリートを打設し硬化させるものである。
【０００９】
前記現場打ちコンクリートは、前記コンクリートブロックの前記前面部材の後面と、前記後方突出部材との間の空間にも充填されていることが好ましい。
【００１０】
前記石詰籠は、前記石詰籠の前記前面から前記コンクリートブロックに向かって伸びる固定補助部材を備えていることが好ましい。
【００１１】
前記固定補助部材は、金網、鉄筋及び樹脂製網のうち、少なくとも１種であってもよく、前記石詰籠の底面から連続して伸びている金網であることが好ましい。
【００１２】
本発明の擁壁の形成方法は、前面にコンクリートブロックを複数段積み上げて形成される擁壁の形成方法であって、前記コンクリートブロックは、擁壁の前面部分となる前面部材と、前記前面部材から後方に突き出して前記前面部材を支持する後方突出部材とを備えており、前記コンクリートブロックを設置する工程Ａと、前記コンクリートブロックの後方であって前記コンクリートブロックから離間した位置に、金網からなる石詰籠を形成する工程Ｂと、前記石詰籠に粗粒のドレーン材を充填する工程と、前記石詰籠の前面と前記コンクリートブロックとの間の空間に現場打ちコンクリートを充填する工程Ｃとを含み、前記工程Ａ、前記工程Ｂおよび前記工程Ｃを繰り返すことにより前記コンクリートブロックを複数段積み上げる構成を有している。
【発明の効果】
【００１３】
コンクリートブロックとその後方に配置された粗粒のドレーン材が充填された石詰籠との間の空間に現場打ちコンクリートを充填して、コンクリートブロックと石詰籠とを固定しているので、コンクリートブロック、石詰籠及び現場打ちコンクリートの三者が一体となった擁壁が土圧力に抗する構造となり、コンクリートブロックの設計の自由度を高めることができるとともに、三者を一体にすることが容易に行える。
【図面の簡単な説明】
【００１４】
【図１】実施形態に係る擁壁の模式的な断面図である。
【図２】実施形態に係る擁壁の１段分を構成するコンクリートブロックと石詰籠を示す側面図である。
【図３】実施形態に係る擁壁の、擁壁面に沿った端部における１段分を構成するコンクリートブロックと石詰籠を示す側面図である。
【図４】実施形態に係る擁壁の１段分を構成するコンクリートブロックと石詰籠を示す平面図である。
【図５】実施形態に係る擁壁の１段分を構成するコンクリートブロックと石詰籠を示す正面図である。
【図６】実施形態に係る擁壁の形成方法を示す第１の図面である。
【図７】実施形態に係る擁壁の形成方法を示す第１の図面である。
【図８】実施形態に係る擁壁の形成方法を示す第１の図面である。
【図９】実施形態に係る擁壁の形成方法を示す第１の図面である。
【図１０】別の実施形態に係る擁壁の模式的な断面図である。
【図１１】別の実施形態に係る擁壁の１段分を構成するコンクリートブロックと石詰籠を示す側面図である。
【図１２】実施形態に係る擁壁の１段分を構成するコンクリートブロックと石詰籠を示す断面図である。
【発明を実施するための形態】
【００１５】
以下、本発明の実施形態を図面に基づいて詳細に説明する。以下の好ましい実施形態の説明は、本質的に例示に過ぎず、本発明、その適用物或いはその用途を制限することを意図するものではない。以下の図面においては、説明の簡潔化のため、実質的に同一の機能を有する構成要素を同一の参照符号で示す。
【００１６】
（実施形態１）
実施形態１に係る擁壁の模式的な断面を図１に示す。図１は、擁壁１００に対して垂直な断面を表している。本実施形態の擁壁１００は、前面がコンクリートブロック１０により形成されており、崖３００側には石詰籠２０がコンクリートブロック１０から離れた位置に配置されており、コンクリートブロック１０と石詰籠２０とは現場打ちコンクリート３０によって一体として固定されている。石詰籠２０には粗粒のドレーン材４５が充填されている。
【００１７】
コンクリートブロック１０及び石詰籠２０はそれぞれ複数が積み上げられている。図１では１１段に積み上げられている。各段において前面側にコンクリートブロック１０が置かれ、その後方に石詰籠２０が離間して配置されて、両者の間に現場打ちコンクリート３０が充填されている。なお、現場打ちコンクリート３０の一部には、石詰籠２０からコンクリートブロック１０の前面部分まで排水通路４０が設けられており、石詰籠２０内を通っていく雨水や地下水等が排水通路４０を通ってコンクリートブロック１０の前面に現れ、最下段のコンクリートブロック１０の前に置かれた排水溝５０に流れ込むようになっている。
【００１８】
図２に示すように、コンクリートブロック１０と石詰籠２０は離間して設置されている。石詰籠２０からは固定補助部材５０がコンクリートブロック１０に向かって伸びており、固定補助部材５０の先端部分にコンクリートブロック１０が載っている。
【００１９】
図２から図５に示すように、コンクリートブロック１０は前面部材１２とその前面部材１２を支持する後方突出部材１４とを備えている。前面部材１２は擁壁１００の前面部分となるもので、前面側の表面には複数の縦溝が形成されている。後方突出部材１４は１つのコンクリートブロック１０に４つ存在しており、前面部材１２から垂直に後方へ且つ鉛直方向に伸びている。なお、図４，５では、横方向に多数並べられているコンクリートブロック１０及び石詰籠２０のうち、隣合う２組のみを示しており、それ以外は省略している。
【００２０】
石詰籠２０は複数の金網パネルを組み合わせて形成されている。ここでは、金網パネルとして溶接金網からなるパネルを用いており、前面パネル２１はコンクリートブロック１０の前面部材１２の前面側表面と略平行となっている。また、後面パネル２２は鉛直に配置されている。擁壁１００において、擁壁面に沿った水平方向の端部においては、図３に示すように石詰籠２０に側面パネル２４が取り付けられている。側面パネル２４は矩形の金網パネルを用いており側面を全て塞ぐとともに前側の部分は前面パネル２１よりも上側及び前方へ突き出している。隣合う石詰籠２０同士の境界には、補強のために枠線からなる中枠部材２３が入れられている。なお、これらの金網および枠線は耐食性を有しており、施工後も長期間錆びないで強度を保つ。また、図１２に示すように、２つの中枠部材２３の間に、後面パネル２２の最上部と底面とを鉤により引っかけて補強する補強部材２９を設置している。ここでは前面部材１２の下部に排水通路４０と連通する排水部１６が設けられている。
【００２１】
石詰籠２０の前面や後面及び側面を構成する金網の網目はドレーン材４５が抜け落ちない程度の大きさに設定されている。
【００２２】
現場打ちコンクリート３０は、コンクリートブロック１０と石詰籠２０との間に充填されており、コンクリートブロック１０の前面部材１２の後面と後方突出部材１４との間にも充填され、石詰籠２０の前面パネル２１の網目からその内部に一部侵入している。このような態様により、コンクリートブロック１０と石詰籠２０とは現場打ちコンクリート３０によって強固に固定されている。
【００２３】
次に本実施形態の擁壁の形成方法を説明する。
【００２４】
まず、固定補助部材５０である金網を配置する。この金網は石詰籠２０の底面を兼ねている。さらに、この金網の崖側の端部を上方に折り曲げて石詰籠２０の後面パネル２２を形成しておく。この金網は、擁壁面に沿った水平方向に複数並べて擁壁を形成する範囲に敷き詰める。
【００２５】
それからコンクリートブロック１０を設置する。コンクリートブロック１０は固定補助部材５０の先端部分の上に載せられ、また、擁壁面に沿った水平方向に複数並べられる。このようにして固定補助部材５０である金網がコンクリートブロック１０により固定される。
【００２６】
次にコンクリートブロック１０から後方に離間した場所に石詰籠２０を形成する。固定補助部材５０である金網を底面及び後面とし、それに前面パネル２１、中枠部材２３及び側面パネル２４を組み合わせてコイルを用いて連結して石詰籠２０を形成する。石詰籠２０が出来上がった状態が図３に示す状態である。なお、金網パネル同士を連結する部材はコイルに限定されず、クリップや専用連結部材、線材で縛る等様々な部材を使用することができる。
【００２７】
石詰籠２０が形成されたら、その内部に粗粒のドレーン材４５（例えば、コンクリート用砕石、クラッシャラン、粒度調整砕石、単粒度砕石、ぐり石、割ぐり石）を充填する。
【００２８】
それから石詰籠２０の前面とコンクリートブロック１０との間の空間にコンクリートを流し込み、現場打ちコンクリート３０を充填する（図６）。現場打ちコンクリート３０はコンクリートブロック１０の後方突出部材１４同士の間にも充填される。現場打ちコンリート３０は石詰籠２０の前面パネル２１の網目を通過して石詰籠２０の内部に一部侵入して硬化する。そのため石詰籠２０と現場打ちコンクリート３０とがより強固に固定され、従って現場打ちコンクリート３０を介して石詰籠２０とコンクリートブロック１０とがより強固に固定される。このようにコンクリートが入ってくるように、前面パネル２１とドレーン材４５との間には不織布等の吸い出しシートは配置しない。
【００２９】
以上のようにして最下段（１段目）が出来上がる。
【００３０】
次に１段目のコンクリートブロック１０、現場打ちコンクリート３０および石詰籠２０の上に２段目の固定補助部材５０である金網を配置する。そして１段目と同じ工程を行うことにより、２段目のコンクリートブロック１０を設置し、石詰籠２０を形成する（図７）。
【００３１】
それから１段目と同様にして、石詰籠２０の内部に粗粒のドレーン材４５を充填し、２段目のコンクリートブロック１０と石詰籠２０との間の空間に現場打ちコンクリート３０を充填する（図８）。このようにして２段目が出来上がる。
【００３２】
それから、２段目と同様にして３段目のコンクリートブロック１０を設置し、石詰籠２０を形成する（図９）。以上を繰り返していくことにより目的の段数まで積み上げて擁壁１００を形成する。
【００３３】
本実施形態においては、現場打ちコンクリート３０を介して石詰籠２０とコンクリートブロック１０とが固定されているので、擁壁前面を構成するコンクリートブロック１０と排水機能を担当する石詰籠２０とが一体となっており、崖側からの土圧をこれら一体として受けることができる。そのため、コンクリートブロック１０を必要以上に重くすることはなく、施工がしやすくなり、部材のコスト、施工のコストの両方が下がる。また、固定補助部材５０を石詰籠２０の底面及び後面と一体にしているので、部材コストが下がるとともに施工時間も短縮できて施工がやりやすくなっている。
【００３４】
石詰籠２０が排水機能と型枠機能（現場打ちコンクリートの型枠）とを兼用しているので、部材の数を減らすことができ、施工の手間も減らすことができる。また、石詰籠２０の前面から現場打ちコンクリートが内部に侵入するように構成されているので、全体での固定・一体性が確保される。
【００３５】
（実施形態２）
実施形態２に係る擁壁は図１０に示すように、擁壁１００ａの地面に対する角度が実施形態１よりも大きいので、それに合わせてコンクリートブロック１０ａの形状（角度）を実施形態１のコンクリートブロック１０から変更しているとともに、石詰籠２０ａの形状を直方体とし、下の石詰籠２０ａの直上に積み重ねている。なお、実施形態１では石詰籠２０を積み上げる際に後方側に位置をずらせて載せており、階段状に積み上げている。それ以外の構成や形成方法などは実施形態１と同じである。
【００３６】
実施形態２に係る擁壁１００ａも実施形態１に係る擁壁１００と同様の効果を奏する。
【００３７】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００３８】
コンクリートブロックと石詰籠との関係は、１対１であってもそれ以外の関係であってもよい。例えばコンクリートブロック２段と１つの石詰籠とが同じ高さであって、上下方向にコンクリートブロック２つに対して石詰籠が１つ対応していてもよいし、水平方向において複数のコンクリートブロックに対して１つの石詰籠が対応していてもよい。
【００３９】
コンクリートブロックの後方突出部材は、形状や数は特に限定されない。前面部材の底部から水平に後方に突き出す形状であっても構わない。
【００４０】
石詰籠の構成は上述の構成に限定されない。例えば、金網として菱形金網やパンチングメタルを使用してもよい。また、実施形態１において、直方体形状の石詰籠としてもよい。
【００４１】
石詰籠を構成する金網は、防錆処理を施されていることが好ましく、例えば亜鉛アルミ合金めっきを施されていることが好ましい。
【００４２】
固定補助部材は金網であってもよいし、線材や樹脂製の棒材や網、ロープ・布などでもよく、石詰籠の底面から伸びていてもよいし、石詰籠の高さ方向のいずれの位置から伸びていてもよく、コンクリートブロックに連結固定されていることが好ましい。固定補助部材が金網の場合は、石詰籠と一体に形成することが好ましいが、石詰籠を形成する際に石詰籠に取り付ける形式で設置してもよい。固定補助部材はコンクリートブロックの下にまで伸びていて、その上にコンクリートブロックが載っていると石詰籠とコンクリートブロックとの一体性が向上し、両者がより強固に固定される。
【００４３】
固定補助部材が金網の場合、固定補助部材が石詰籠の底面のみを兼用していてもよい。
【００４４】
図１１に示すように、矩形ではなく三角形状の中枠部材２８を用いてもよい。
【００４５】
コンクリートブロック及び石詰籠の最下段は地盤の下に埋め込んで、２段目から地盤上に現れるようにしてもよい。その場合、埋め込まれる最下段の石詰籠は現場打ちコンクリートを充填し、粗粒のドレーン材を詰め込む必要はない。
【符号の説明】
【００４６】
１０，１０ａ        コンクリートブロック
１２                前面部材
１４                後方突出部材
２０，２０ａ        石詰籠
３０                現場打ちコンクリート
４５                粗粒のドレーン材
５０                固定補助部材
１００，１００ａ    擁壁
【図１】
2019070299.tif 000003
【図２】
2019070299.tif 000004
【図３】
2019070299.tif 000005
【図４】
2019070299.tif 000006
【図５】
2019070299.tif 000007
【図６】
2019070299.tif 000008
【図７】
2019070299.tif 000009
【図８】
2019070299.tif 000010
【図９】
2019070299.tif 000011
【図１０】
2019070299.tif 000012
【図１１】
2019070299.tif 000013
【図１２】
2019070299.tif 000014